(57)【要約】システム仕様の変化にも柔軟に対応でき、拡張性および操作性を向上させ、かつ、ネットワーク資源の有効活用を達成できるＷＤＭ伝送装置を提供する。ＷＤＭ伝送装置本体ハウジング１０にアップリンクモジュールスロット１１を設け、伝送距離の異なる複数のアップリンクモジュール１０１および２１０から選択された１つのアップリンクモジュールをアップリンクモジュールスロット１１に着脱可能に取り付ける。アップリンクモジュール１０１は、ＷＤＭポート１０２の他にスタッキングポート１０３を有し、他のアップリンクモジュール２０１とのカスケード接続が可能である。
2005036782.tif 000002
【特許請求の範囲】
【請求項１】
複数のローカルポートと少なくとも１個のリモートポートとを有する波長多重分離伝送装置において、
少なくともリモートモジュールスロットを有するハウジングと、
伝送距離が異なるリモートポートを有する複数のリモートモジュールと、
を有し、前記複数のリモートモジュールから選択された１つのリモートモジュールが前記リモートモジュールスロットに着脱可能に取り付けられたことを特徴とする波長多重分離伝送装置。
【請求項２】
前記複数のリモートモジュールの少なくとも１つは、
前記リモートポートに光学的に接続し、所定波長光の合波および分波を行い、その他の波長の信号光を通過させる光合分波手段と、
前記光合分波手段と光学的に接続し、前記光合分波手段を通過した信号光を外部へ出射し、外部から信号光を受け取るためのスタッキングポートと、
を有することを特徴とする請求項１に記載の波長多重分離伝送装置。
【請求項３】
前記複数のリモートモジュールの少なくとも１つは、
前記リモートポートに光学的に接続し、所定波長光の合波および分波を行い、その他の波長の信号光を通過させる光合分波手段と、
を有することを特徴とする請求項１に記載の波長多重分離伝送装置。
【請求項４】
前記ハウジングは管理モジュールスロットをさらに有し、前記管理モジュールスロットに装着された管理モジュールによって、前記波長多重分離伝送装置の内部状態がリモート監視されることを特徴とする請求項１に記載の波長多重分離伝送装置。
【請求項５】
少なくとも第１波長多重分離伝送装置と第２波長多重分離伝送装置とを含むシステムにおいて、
前記第１波長多重分離伝送装置は、
伝送距離が異なるリモートポートを有する複数のリモートモジュールから選択された第１リモートモジュールと、第１リモートモジュールを着脱可能に取り付ける第１リモートモジュールスロットと、を有し、前記第１リモートモジュールが
前記第１リモートモジュールのリモートポートに光学的に接続し、第１波長群の光の合波および分波を行い、前記第１波長群以外の第２波長群の光を通過させる第１光合分波手段と、
前記第１光合分波手段と光学的に接続し、前記第１光合分波手段を通過した信号光を外部へ出射し、外部から信号光を受け取るための第１スタッキングポートと、
を有し、
前記第２波長多重分離伝送装置は、
前記複数のリモートモジュールから選択された第２リモートモジュールと、第２リモートモジュールを着脱可能に取り付ける第２リモートモジュールスロットと、を有し、前記第２リモートモジュールが前記第２リモートモジュールのリモートポートに光学的に接続し前記第２波長群の光の合波および分波を行う第２光合分波手段を有し、
前記第１波長多重分離伝送装置と前記第２波長多重分離伝送装置とが１つのユニットに収容され、前記第１波長多重分離伝送装置の前記第１スタッキングポートと前記第２波長多重分離伝送装置の前記第２リモートポートとが光ケーブルにより光学的に接続されたことを特徴とする波長多重分離伝送装置システム。
【請求項６】
前記第１波長多重分離伝送装置は管理モジュールスロットに装着された第１管理モジュールをさらに有し、前記第２波長多重分離伝送装置は管理モジュールスロットに装着された第２管理モジュールをさらに有し、
前記第１および第２管理モジュールを接続することで、前記第１波長多重分離伝送装置および前記第２波長多重分離伝送装置の内部状態がリモート監視されることを特徴とする請求項５に記載の波長多重分離伝送装置システム。
【発明の詳細な説明】
【技術分野】  本発明は複数チャネルを波長多重化することで長距離かつ高速伝送を可能にする波長分割多重（以下、ＷＤＭという。）伝送装置に係り、特に複数のローカルポートと少なくとも１つのリモートポートとを有するＷＤＭ伝送装置に関する。
【背景技術】  近年、複数のギガビットイーサネット（イーサネットは登録商標、以下同じ。）をシングルモード光ファイバに波長多重して長距離伝送を可能にするＷＤＭ伝送装置が種々提供されている。現在市販されているものでは、たとえば、８本のギガビットイーサネットを接続して最大２０Ｇｂｐｓ／２芯（Ｆｕｌｌ  Ｄｕｐｌｅｘ）の伝送が可能なＷＤＭ伝送装置がある。このようなＷＤＭ伝送装置は、広域ＬＡＮ（ｌｏｃａｌ−ａｒｅａ  ｎｅｔｗｏｒｋ）やＦＴＴＨ（ｆｉｂｅｒ−ｔｏ−ｔｈｅ−ｈｏｍｅ）など、これからのブロードバンドネットワークを構築する上で必要不可欠な通信機器である。
特開２０００−３２４０５０号公報（以下、特許文献１という。）には、複数のローカルモジュール、少なくとも１つのリモートモジュールおよび１つの管理モジュールを有し、汎用モジュールをスロット的に組み合わせて１つのケージに組み入れるＷＤＭ伝送装置が記載されている。汎用モジュールは、種々のメディア、たとえばＡＴＭ、ＦＤＤＩ、イーサネット（登録商標）などの各種メディアに対応可能である（段落０００３、００１４、図１、図２）。
特開平１１−０９５０６０号公報（以下、特許文献２という。）には、光ＷＤＭ伝送装置の一例としてカスケード型光多重装置が開示されている。この従来例によるＷＤＭ伝送装置では、波長分離および多重が可能な光学ブロックをカスケード接続することで、すべてのチャネルの分離および多重化を行う。たとえば、８チャネル波長多重光がリモートポートに入力すると、１つの光学ブロックにより８チャネル波長多重光のうちチャネル１〜４が順次分離され、残りのチャネル５〜８はカスケード接続された別の光学ブロックにおいて同様に分離される。逆に、８チャネルの光信号はこれら光学ブロックを通して順次多重化され、波長多重光としてリモートポートから送出される（段落００２４〜２７、図１、図８、図９）。
しかしながら、特許文献１のＷＤＭ伝送装置では、リモートモジュールの数を増加させることについては記載されているが、ＷＤＭの伝送距離を変更する点には全く言及されていない。伝送距離の変更は、設置場所が変わったり社内事情が変化したりすることで生じることが多く、伝送距離を容易に変更できることは実用上非常に重要である。
また、ＷＤＭ伝送装置の構造としては、一般的に、ＷＤＭ伝送装置のハウジングの前面あるいは後面に縦方向に多数のスロットが設けられ、そこに必要なモジュールが装着される。しかしながら、特許文献１には汎用モジュールを組み入れる具体的なケージ構成が開示されていない。また、特許文献１のケージ構成では、１つのハウジング内に多数のスロットを用意する必要があり、スロット数に見合うだけのローカルポートを使用するのであれば、ＷＤＭネットワークの資源を有効利用することができるが、小規模のネットワークでは十分に活用することができない。
同様に、特許文献２に開示されたＷＤＭ伝送装置は、１つの装置ハウジングに４チャネルあるいは８チャネルを収容するものである。したがって、同数のＬＡＮを接続するのであれば資源を有効に利用することができるが、ＬＡＮの規模や設置場所あるいは社内事情等によって１〜２個のＬＡＮだけが接続される場合もある。
このように、接続されないローカルポートが存在すると、高速大容量伝送というＷＤＭの特性を十分に活用できなくなる。逆に、当初は４チャネルＷＤＭ伝送装置で十分と考えていたのに、状況が変化して６チャネル必要となった場合には、この例では８チャネルＷＤＭ伝送装置を新たに購入して置き換える必要がある。このような伝送装置の置き換えを必要とすることは、ＷＤＭ伝送システムとしての柔軟性を損ない、コストが高くなるだけでなく、８チャネルのうち２チャネルが使用されないために資源の無駄も生じてしまう。特許文献２に記載されたＷＤＭ伝送装置においても、１つのハウジング内で光学ブロックをカスケード接続しチャネルの分離及び多重を行うことが想定されており同様の問題が生じる。
そこで、本発明の目的は、システム仕様の変化にも柔軟に対応できるＷＤＭ伝送装置を提供することにある。
また、本発明の他の目的は、システムの拡張が容易であり、かつ、ネットワーク資源の有効活用を達成できるＷＤＭ伝送装置を提供することにある。
【発明の開示】
本発明の第１の側面によれば、複数のローカルポートと少なくとも１個のリモートポートとを有する波長多重分離伝送装置において、少なくともリモートモジュールスロットを有するハウジングと、伝送距離が異なるリモートポートを有する複数のリモートモジュールと、を有し、前記複数のリモートモジュールから選択された１つのリモートモジュールが前記リモートモジュールスロットに着脱可能に取り付けられたことを特徴とする。
前記複数のリモートモジュールの少なくとも１つは、前記リモートポートに光学的に接続し、所定波長光の合波および分波を行い、その他の波長の信号光を通過させる光合分波手段と、前記光合分波手段と光学的に接続し、前記光合分波手段を通過した信号光を外部へ出射し、外部から信号光を受け取るためのスタッキングポートと、を有することを特徴とする。
前記ハウジングは管理モジュールスロットをさらに有し、前記管理モジュールスロットに装着された管理モジュールによって、前記波長多重分離伝送装置の内部状態がリモート監視されることが望ましい。
本発明の第２の側面によれば、少なくとも第１波長多重分離伝送装置と第２波長多重分離伝送装置とを含むシステムにおいて、
前記第１波長多重分離伝送装置は、伝送距離が異なるリモートポートを有する複数のリモートモジュールから選択された第１リモートモジュールと、第１リモートモジュールを着脱可能に取り付ける第１リモートモジュールスロットと、を有し、前記第１リモートモジュールが前記第１リモートモジュールのリモートポートに光学的に接続し、第１波長群の光の合波および分波を行い、前記第１波長群以外の第２波長群の光を通過させる第１光合分波手段と、前記第１光合分波手段と光学的に接続し、前記第１光合分波手段を通過した信号光を外部へ出射し、外部から信号光を受け取るための第１スタッキングポートと、を有し、
前記第２波長多重分離伝送装置は、前記複数のリモートモジュールから選択された第２リモートモジュールと、第２リモートモジュールを着脱可能に取り付ける第２リモートモジュールスロットと、を有し、前記第２リモートモジュールが前記第２リモートモジュールのリモートポートに光学的に接続し前記第２波長群の光の合波および分波を行う第２光合分波手段を有し、
前記第１波長多重分離伝送装置と前記第２波長多重分離伝送装置とが１つのユニットに収容され、前記第１波長多重分離伝送装置の前記第１スタッキングポートと前記第２波長多重分離伝送装置の前記第２リモートポートとが光ケーブルにより光学的に接続されたことを特徴とする。
前記第１波長多重分離伝送装置は管理モジュールスロットに装着された第１管理モジュールをさらに有し、前記第２波長多重分離伝送装置は管理モジュールスロットに装着された第２管理モジュールをさらに有し、前記第１および第２管理モジュールを接続することで、前記第１波長多重分離伝送装置および前記第２波長多重分離伝送装置の内部状態がリモート監視されることが望ましい。
上述したように、本発明によれば、伝送距離が異なる複数のリモートモジュールから選択された１つのリモートモジュールがハウジングのリモートモジュールスロットに着脱可能に取り付けられるために、必要な伝送距離に最も適したリモートモジュールを選択して到着でき、伝送距離の変更に対して容易に対応することができる。
さらに、リモートモジュールに、リモートポートと光学的に接続したスタッキングポートが設けられたことで、別のＷＤＭ伝送装置をカスケード接続することができ、ローカルポート収容数を容易に拡張することができる。さらに、リモートポートとスタッキングポートとをそれぞれ別個のＷＤＭ伝送装置に接続することも可能となり、システム構成の拡張性および柔軟性を大幅に向上させることができる。
【図面の簡単な説明】  図１は、本発明の一実施形態によるＷＤＭ伝送装置の概略的構成および機能を示す斜視図である。
図２は、本実施形態によるＷＤＭ伝送装置を２台ユニット化したＷＤＭ伝送装置システムの斜視図である。
図３は、本実施形態によるＷＤＭ伝送装置を２台カスケード接続したＷＤＭ伝送装置システムの斜視図である。
図４は、図３に示すＷＤＭ伝送装置システムの内部回路を示す概略的ブロック構成図である。
図５は、図２のユニットを２段重ねたＷＤＭ伝送装置システムを示す正面図である。
図６は、５に示す２段ＷＤＭ伝送装置システムの接続形態を示す図である。
図７Ａは、本実施形態によるＷＤＭ伝送装置を用いたシステムを施工した時のループバックテスト動作を説明するための模式的システム構成図である。
図７Ｂは、ＳＮＭＰマネージャからのループバックテスト動作を説明するための模式的システム構成図である。
図８Ａは、ローカルポート側が切断した場合のミッシングリンク機能を説明するためのＷＤＭ伝送システムの構成図である。
図８Ｂは、リモートポート側が切断した場合のミッシングリンク機能を説明するためのＷＤＭ伝送システムの構成図である。
図９は、本発明によるＷＤＭ伝送装置を用いたＷＤＭ伝送ネットワークの一例を示すネットワーク構成図である。
図１０は、本発明によるＷＤＭ伝送装置を用いたＷＤＭ伝送ネットワークの他の例を示すネットワーク構成図である。
【発明を実施するための最良の形態】  図１において、本実施形態によるＷＤＭ伝送装置の本体ハウジング１０は厚さ１Ｕサイズ（約４４ｍｍ）の直方体形状を有し、その前面に１つのアップリンクモジュールスロット１１、１つの管理モジュールスロット１２および複数のローカルポートスロット１３が設けられている。
アップリンクモジュールスロット１１には、予め用意されているアップリンクモジュール１０１またはアップリンクモジュール２０１を装着可能である。後述するように、アップリンクモジュール１０１はリモートポート（ＲＰ）であるＷＤＭポート１０２とカスケード接続用のスタッキングポート（ＳＰ）１０３とを有し、スタッキングポート１０３を用いて他のＷＤＭ伝送装置をカスケード接続することができる。アップリンクモジュール２０１にはＷＤＭポート２０２が設けられ、スタッキングポートは設けられていない。ユーザは、カスケード接続により拡張を必要とする場合にはアップリンクモジュール１０１を選択し、拡張不要であればアップリンクモジュール２０１を選択すればよい。
アップリンクモジュール１０１およびアップリンクモジュール２０１には、伝送距離の異なるモジュールが用意されている。ここでは、それぞれ伝送距離５０ｋｍ、８０ｋｍおよび１２０ｋｍのアップリンクモジュール２０１．１、２０１．２および２０１．３が図示されている。ユーザは、相手側のＷＤＭ伝送装置までの距離に最も適した伝送距離のアップリンクモジュールを選択することができる。
管理モジュールスロット１２には、予め用意されている管理モジュール１０４または管理モジュール２０３を選択的に取り付けることができる。本実施形態における管理モジュール１０４および２０３は、ＳＮＭＰ（Ｓｉｍｐｌｅ  Ｎｅｔｗｏｒｋ  Ｍａｎａｇｅｍｅｎｔ  Ｐｒｏｔｏｃｏｌ）管理用モジュールである。管理モジュール１０４には、ＳＮＭＰ接続ポート１０５、ＳＮＭＰ用スタッキングポート１０６および１０９が設けられている。ＳＮＭＰ接続ポート１０５は、たとえばイーサネット等のネットワークを介してＳＮＭＰマネージャに接続され、ＷＤＭ伝送装置のリンク状態や電源状態などをリモートで監視することができる。管理モジュール２０３には、ＳＮＭＰ接続ポート２０４およびＳＮＭＰ用スタッキングポート２０５が設けられている。
さらに、本実施形態では２つのローカルポートスロット１３が設けられ、それぞれＧＢＩＣ（Ｇｉｇａｂｉｔ  Ｉｎｔｅｒｆａｃｅ  Ｃｏｎｖｅｒｔｅｒ）に対応した光送受信器モジュールが装着されている。
図２は本実施形態によるＷＤＭ伝送装置を２台ユニット化したＷＤＭ伝送装置システムの斜視図である。ここでは、ＷＤＭ伝送装置１にアップリンクモジュール１０１および管理モジュール１０４が取り付けられ、ＷＤＭ伝送装置２にアップリンクモジュール２０１および管理モジュール２０３が取り付けられているものとする。
図２に示すように、ＷＤＭ伝送装置１および２は、互いに横に並べて厚さ１Ｕのユニットフレーム２０に収容される。コンパクトな１Ｕサイズとしたことで１９インチラックに搭載可能となる。また、ＷＤＭ伝送装置１および２は、次に説明するようにカスケード接続して１つのＷＤＭ伝送装置として機能させることができる。したがって、図２に示すようにＷＤＭ伝送装置１および２をユニットフレーム２０に収容して１ユニットとすることは有意義である。
図３において、本実施形態によるＷＤＭ伝送装置１は、別のＷＤＭ伝送装置２をカスケード接続して１つのＷＤＭ伝送装置として機能させることができる。ＷＤＭ伝送装置１およびＷＤＭ伝送装置２のいずれも、図１に示すようなモジュール構成を有し、ここでは、図２に示すように、ＷＤＭ伝送装置１にアップリンクモジュール１０１および管理モジュール１０４が取り付けられ、ＷＤＭ伝送装置２にアップリンクモジュール２０１および管理モジュール２０３が取り付けられているものとする。
ＷＤＭ伝送装置１において、アップリンクモジュール１０１はリモートポート（ＲＰ）であるＷＤＭポート１０２とカスケード接続用のスタッキングポート（ＳＰ）１０３とを有する。管理モジュール１０４はＳＮＭＰ管理用モジュールであり、ＳＮＭＰ接続ポート１０５、ＳＮＭＰ用スタッキングポート１０６および１０９を有する。ＳＮＭＰ接続ポート１０５は、たとえばイーサネット等のネットワークを介してＳＮＭＰマネージャに接続され、ＷＤＭ伝送装置１のリンク状態や電源状態などをリモートで監視することができる。さらに、ＷＤＭ伝送装置１は２個のローカルポート１０７および１０８を有し、ここではいずれもＧＢＩＣに対応した光送受信器モジュールからなる。
ＷＤＭ伝送装置２において、アップリンクモジュール２０１はリモートポート（ＲＰ）であるＷＤＭポート２０２を有する。管理モジュール２０３はＳＮＭＰ管理用モジュールであり、ＳＮＭＰ接続ポート２０４およびスタッキングポート２０５を有する。さらに、ＷＤＭ伝送装置２においても２個のローカルポート２０６および２０７が設けられ、いずれもＧＢＩＣに対応した光送受信器モジュールからなる。
本実施形態によれば、ＷＤＭ伝送装置１のＷＤＭポート１０２はシングルモード光ファイバケーブル３０１に接続され、スタッキングポート１０３はＷＤＭ伝送装置２のＷＤＭポート２０２に光ファイバケーブル３０２を通して接続されている。さらに、管理モジュール１０４のＳＮＭＰ用スタッキングポート１０６はＷＤＭ伝送装置２のＳＮＭＰ接続ポート２０４に光ファイバケーブル３０３を通して接続されている。
このようにカスケード接続することで、アップリンクモジュール１０１およびアップリンクモジュール２０１は１つのアップリンクモジュールとして機能し、管理モジュール１０４および管理モジュール２０３もＷＤＭ伝送装置１および２を管理する１つの管理モジュールとして機能する。したがって、２個のＧＢＩＣポートを収容するＷＤＭ伝送装置１に同じく２個のＧＢＩＣポートを収容するＷＤＭ伝送装置２をカスケード接続するだけで、４個のＧＢＩＣポートを収容するＷＤＭ伝送装置にアップグレードすることができる。
なお、図３には示されていないが、ＷＤＭ伝送装置１および２には、ループバックテストを起動するためのリンクテストボタンがそれぞれ設けられている。
図４は、図３に示すＷＤＭ伝送装置システムの内部回路を示す概略的ブロック構成図である。なお、図３において説明したコンポーネントには同一参照番号を付している。
図４において、ＷＤＭ伝送装置１のアップリンクモジュール１０１は合分波器１１０および１１１を有する。合分波器１１０は、ＷＤＭポート１０２を通して受信した波長多重光から特定波長（λＲ１１）の光信号を分離するとともに他の波長光を反射し、また特定波長（λＴ１１）の送信光を多重化してＷＤＭポート１０２へ送出する。同様に、合分波器１１１では、合分波器１１０を通過した波長多重光から特定波長（λＲ１２）の光信号を分離するとともに他の波長光を反射し、また特定波長（λＴ１２）の送信光を多重化してＷＤＭポート１０２へ送出する。合分波器１１０および１１１を通過した波長多重光は、スタッキングポート１０３および光ケーブル３０２を通して他のＷＤＭ伝送装置２へ送られる。
合分波器１１０で分離された受信光は物理層デバイス１１２を通してローカルポート１０７へ転送される。ギガビットＬＡＮからローカルポート１０７で受信した送信光は物理層デバイス１１２を通して合分波器１１０により多重化され、ＷＤＭポート１０２から送信される。同様に、合分波器１１１で分離された受信光は物理層デバイス１１２を通してローカルポート１０８へ転送される。ローカルポート１０８で受信した送信光は物理層デバイス１１３を通して合分波器１１１により多重化され、ＷＤＭポート１０２から送信される。
さらに、ＷＤＭ伝送装置１には、制御部１１４、リンクテストボタン１１５およびインジケータであるＬＥＤ（発光ダイオード）１１６が設けられ、制御部１１４は物理層デバイス１１２および１１３を制御するとともに、管理モジュール１０４からの指示に応じて必要な情報（リンク状態、電源状態など）の収集を行い管理モジュール１０４へ返す。後述するように、リンクテストボタン１１５は、ＷＤＭ通信システムを施工したときにリンクテストを行うために設けられている。
ＷＤＭ伝送装置２のアップリンクモジュール２０１は、送受信波長が異なりスタッキングポート１０３が設けられていない点を除いて、アップリンクモジュール１０１と同様の構成を有する。また、ＷＤＭ伝送装置１と同様の物理層デバイス２１０および２１１と、ローカルポート２０６および２０７とが設けられている。さらに、ＷＤＭ伝送装置２においても同様に、制御部２１２、リンクテストボタン２１３およびインジケータであるＬＥＤ２１４が設けられ、制御部２１２は物理層デバイス２１０および２１１を制御するとともに、管理モジュール２０３からの指示に応じて必要な情報（リンク状態、電源状態など）の収集を行い管理モジュール２０３へ返す。
ＷＤＭ伝送装置１に装着された管理モジュール１０４は、ケーブル３０３を通してＷＤＭ伝送装置２の管理モジュール２０３に接続され、さらにネットワークを通してＳＮＭＰマネージャに接続されている。ＳＮＭＰマネージャはネットワークを通してＷＤＭ伝送装置１および２の状態をモニタすることができる。
具体例として、アップリンクモジュール１０１では、受信波長λＲ１１＝１２９０ｎｍ、送信波長λＴ１１＝１３１０ｎｍ、受信波長λＲ１２＝１３３０ｎｍ、送信波長λＴ１２＝１３５０ｎｍである。アップリンクモジュール２０１では、受信波長λＲ１１＝１５１０ｎｍ、送信波長λＴ１１＝１５３０ｎｍ、受信波長λＲ１２＝１５７０ｎｍ、送信波長λＴ１２＝１５５０ｎｍである。また、アップリンクモジュール１０１および２０１は、伝送距離の異なるモジュール（たとえば５０ｋｍ、８０ｋｍ、１２０ｋｍなど）から必要なものを選択することができる。
図５は図２のユニットを２段重ねたＷＤＭ伝送装置システムを示す正面図であり、図６は２段ＷＤＭ伝送装置システムの接続形態を示す図である。ここでは、４個のＷＤＭ伝送装置１，２，３および４を用い、ＷＤＭ伝送装置１および２は図３に示すように光ケーブル３０２によりカスケード接続され、ＷＤＭ伝送装置３および４も同様にカスケード接続されている。すなわち、ＷＤＭ伝送装置３のスタッキングポート１０３．３とＷＤＭ伝送装置４のＷＤＭポート２０２．４とが光ケーブル３０２．３により接続されている。
また、管理モジュール１０４のＳＮＭＰ用スタッキングポート１０６はＷＤＭ伝送装置２のＳＮＭＰ接続ポート２０４にケーブル３０３を通して接続され、同様に、ＷＤＭ伝送装置３のＳＮＭＰ用スタッキングポート１０６．３はＷＤＭ伝送装置４のＳＮＭＰ接続ポート２０４．４にケーブル３０３．３を通して接続されている。さらに、ＷＤＭ伝送装置３のＳＮＭＰ接続ポート１０５．３はＷＤＭ伝送装置１のＳＮＭＰ用スタッキングポート１０９にケーブル３０５を通して接続されている。
このように接続することで、上述したようにアップリンクモジュール１０１および２０１は１つのアップリンクモジュールとして機能し、同様に、アップリンクモジュール１０１．３および２０１．４も１つのアップリンクモジュールとして機能する。さらに、管理モジュール１０４、２０３、１０４．３および２０３．４もＷＤＭ伝送装置１〜４をそれぞれ管理する管理モジュールとして機能させることができる。したがって、ＳＮＭＰマネージャはネットワークを通してＷＤＭ伝送装置１〜４の状態をモニタすることができる。このように、２個のＧＢＩＣポートを収容するＷＤＭ伝送装置を４個接続することで、８個のＧＢＩＣポートを収容するＷＤＭ伝送装置にアップグレードすることができる。
（リンクテスト機能）
図７Ａは、本実施形態によるＷＤＭ伝送装置を用いたシステムを施工した時のループバックテスト動作を説明するための模式的システム構成図であり、図７ＢはＳＮＭＰマネージャからのループバックテスト動作を説明するための模式的システム構成図である。
図７Ａに示すＷＤＭ伝送システムでは、本実施形態によるＷＤＭ伝送装置４０１が光ファイバケーブル４０３を通してＷＤＭ伝送装置４０２に接続されている。この例におけるＷＤＭ伝送装置４０１は本実施形態におけるリンクテストボタンを有するものであればよく、図２におけるＷＤＭ伝送装置１およびＷＤＭ伝送装置２のいずれでもよいが、ここではＷＤＭ伝送装置１の構成を有するものとする。
まず、光ファイバケーブル４０３をＷＤＭ伝送装置４０１のＷＤＭポートに取り付けてシステムの接続が完了すると、システム施工者はＷＤＭ伝送装置４０１のリンクテストボタン１１５を押下する。リンクテストボタン１１５が押下されたことを検知すると、制御部１１４は物理層デバイス１１２あるいは１１３を制御してリンクテスト用の所定波長の光信号を生成させる。生成されたテスト信号はアップリンクモジュール１０１のＷＤＭポート１０２から光ファイバケーブル４０３へ送出され、ケーブル４０３が正常である限り相手側のＷＤＭ伝送装置４０２へ到達する。受信されたテスト信号はＷＤＭ伝送装置４０２の物理層デバイスでループバックされて元のＷＤＭ伝送装置４０１に戻ってくる。戻ってきたテスト信号を物理層デバイス１１２で受信すると、制御部１１４はリンクを示すＬＥＤインジケータを点灯させ、施工者にリンクが正常であることを知らせる。こうして、システムが施工された時点でリンクの正常性を確認することができる。
図７Ｂに示すＷＤＭ伝送システムでは、図３及び図４に示すＷＤＭ伝送装置１および２のＷＤＭポートがそれぞれ別個に光ファイバケーブル４０４および４０５に接続され、管理モジュール１０４および２０３がケーブル３０３により接続されている。ＳＮＭＰマネージャ４０７はスイッチ４０６を介してＷＤＭ伝送装置１および２の管理モジュール１０４および２０３を制御し、上述したループバックテストを光ファイバケーブル４０４および４０５を通してそれぞれ実施する。このように、システムが稼働した後、ＳＮＭＰマネージャ４０７によりループバックテストを実施してリンク状態を定期的に監視することができる。
（ミッシングリング機能）
図８Ａはローカルポート側が切断した場合のミッシングリンク機能を説明するためのＷＤＭ伝送システムの構成図であり、図８Ｂはリモートポート側が切断した場合のミッシングリンク機能を説明するためのＷＤＭ伝送システムの構成図である。
図８Ａにおいて、ＷＤＭ伝送装置４０１のローカルポートＬＰ２とＷＤＭ伝送装置４０２のローカルポートＬＰ３とが通信を行っているとき、ローカルポートＬＰ２の送信ラインが切断したとする。ローカルポートＬＰ２に対応する物理層デバイスＰＨＹは、ローカルポートＬＰ２の送信ラインの切断を検出すると、対応するＷＤＭ送信波長のリンクも切断する。これにより、対応する送信波長の光信号を受信していたＷＤＭ伝送装置４０２の物理層デバイスＰＨＹは、対応するローカルポートＬＰ３の出力をディスエイブルにする。こうして受信側で、送信側のリンク切断発生を知ることができる。
図８Ｂにおいて、ＷＤＭ伝送装置４０１とＷＤＭ伝送装置４０２との間の光ファイバケーブルが切断すると、上述したように、ＷＤＭ伝送装置４０１およびＷＤＭ伝送装置４０２の各ローカルポートに対応する物理層デバイスＰＨＹは、ミッシングリンク機能を起動し、対応するローカルポートの出力をディスエイブルにする。
（ネットワーク接続例）
図９は本発明によるＷＤＭ伝送装置を用いたＷＤＭ伝送ネットワークの一例を示すネットワーク構成図である。ここでは、ＷＤＭ伝送装置６０１〜６０４のうち、ＷＤＭ伝送装置６０１および６０２が共通の管理下におかれており、ＷＤＭ伝送装置６０１のリモートポート（ＲＰ）がＷＤＭ伝送装置６０３のリモートポートに光ファイバケーブルで接続され、ＷＤＭ伝送装置６０２のリモートポート（ＲＰ）がＷＤＭ伝送装置６０４のリモートポートに光ファイバケーブルで接続されている。
ＷＤＭ伝送装置６０１および６０２は、図３及び図４に示すＷＤＭ伝送装置１および２のＷＤＭポートがそれぞれ別個に光ファイバケーブルに接続されたものであり、管理モジュール１０４および２０３はケーブル３０３により接続されている。すなわち、レイヤ３スイッチを介してＷＤＭ伝送装置６０１および６０２の管理モジュールが制御される。
図１０は本発明によるＷＤＭ伝送装置を用いたＷＤＭ伝送ネットワークの他の例を示すネットワーク構成図である。ここでは、ＷＤＭ伝送装置７０１〜７０４のうち、ＷＤＭ伝送装置７０１および７０２が図３及び図４に示すＷＤＭ伝送装置１および２と同様にカスケード接続されている。すなわち、ＷＤＭ伝送装置７０２のリモートポートＰＲはＷＤＭ伝送装置７０１のスタッキングポートＳＰに接続され、管理モジュール１０４および２０３がケーブル３０３により接続されてレイヤ３スイッチを介して管理される。また、ＷＤＭ伝送装置７０３は図３及び図４のＷＤＭ伝送装置１と同じ構成を有し、ＷＤＭ伝送装置７０１のリモートポート（ＲＰ）がＷＤＭ伝送装置７０３のリモートポートに光ファイバケーブルで接続されている。さらに、ＷＤＭ伝送装置７０３のスタッキングポート（ＳＰ）がＷＤＭ伝送装置７０４のリモートポートに光ファイバケーブルで接続されている。
このように、本実施形態によるＷＤＭ伝送装置は、リモートポートの他にスタック接続を可能にするスタッキングポートを有することで、別のＷＤＭ伝送装置をカスケード接続することで容易にローカルポート収容数を拡張することができる。さらに、リモートポートとスタッキングポートとをそれぞれ別個のＷＤＭ伝送装置に接続することも可能となり、システム構成の拡張性および柔軟性を大幅に向上させることができる。
【図１】
2005036782.tif 000003
【図２】
2005036782.tif 000004
【図３】
2005036782.tif 000005
【図４】
2005036782.tif 000006
【図５】
2005036782.tif 000007
【図６】
2005036782.tif 000008
2005036782.tif 000009
2005036782.tif 000010
【図９】
2005036782.tif 000011
【図１０】
2005036782.tif 000012
【国際調査報告】
2005036782.tif 000013
2005036782.tif 000014
2005036782.tif 000015